(57)【要約】【課題】本発明の課題は、撮影対象者の映像をタイムリーに配信するシステムを提供することである。【解決手段】開閉門装置や保管庫のような利用機器を撮影した映像を通知する監視映像通知システムであって、通知先情報を記憶するＩＣカードと、ＩＣカードが記憶する通知先情報を読み取って、前記通知先情報に撮影映像を通知するようにネットワークカメラに指示する利用機器と、利用機器の撮影条件に従って利用機器を撮影して、撮影映像を前記通知先情報に送信するネットワークカメラと、からなることを特徴とする監視映像通知システムである。【選択図】図１
2008160608.tif 000002
【特許請求の範囲】
【請求項１】
利用機器を撮影した映像を通知する監視映像通知システムであって、
通知先情報を記憶するＩＣカードと、
ＩＣカードが記憶する通知先情報を読み取って、前記通知先情報に撮影映像を通知するようにネットワークカメラに指示する利用機器と、
利用機器を撮影して、撮影映像を前記通知先情報に送信するネットワークカメラと、
からなることを特徴とする監視映像通知システム。
【請求項２】
前記利用機器が利用機器特定情報を記憶して、
前記利用機器は、前記利用機器特定情報と通知先情報とをネットワークカメラに送信して、
前記ネットワークカメラが利用機器特定情報と撮影条件とを対応付ける対応データが記憶して、
前記ネットワークカメラは、利用機器から受信した利用機器特定情報を用いて、前記対応データから利用機器の撮影条件を選択して、受信した通知先に撮影映像を送信する、
ことを特徴とする請求項１に記載の監視映像通知システム。
【請求項３】
前記ＩＣカードが認証情報を記憶して、
前記利用機器は、ＩＣカードが記憶する認証情報を読み取って、本人認証をして、認証結果を、ネットワークカメラを経由して、前記受信した通知先に通知する、
ことを特徴とする請求項１、または、請求項２に記載の監視映像通知システム。
【請求項４】
前記利用機器が開閉門装置や保管庫であって、
前記利用機器は、ＩＣカードが記憶する認証情報を読み取って、本人認証が成功したら、開錠する、
ことを特徴とする請求項３に記載の監視映像通知システム。
【発明の詳細な説明】
【技術分野】
【０００１】
本発明は、ＩＣカードを用いた許可認証を行う利用機器（たとえば、入退場ゲートや保管庫）において、利用者が利用機器を使用するときの様子を監視映像に納めて、通知先に通知するシステムに関するものである。
【０００２】
従来から、利用機器の利用状況は映像監視することで、遠隔地管理を実現している。
【背景技術】
【０００３】
たとえば、特許文献１では、遊園地において、ＩＤカードを所持した入場者が撮影ポイントに到着すると、備え付けのデジタルビデオカメラが記念撮影して映像をサーバ装置に記録しておき、インターネットホームページにアクセスしてきた入場者にこの記録された映像を提供する技術が開示されている。
【特許文献１】特開２００３−１９９０８６号公報（６〜８ページ、図２，４）
【発明の開示】
【発明が解決しようとする課題】
【０００４】
ところで、特許文献１の技術では、サーバ装置に映像が記録されるタイミングが分からないので、たとえば、入場者の留守家族が映像を撮影された直後にタイムリーに閲覧したくとも不可能であった。
また、映像を記録するサーバ装置が必要となるので、設備コストが高価になるという問題点があった。
【０００５】
本発明はこのような不具合を解決するためになされたものであって、本発明の課題は、撮影対象者の映像をタイムリーに配信するシステムを提供することである。
【課題を解決するための手段】
【０００６】
本発明は、以下のような解決手段により、前記課題を解決する。すなわち、請求項１の発明は、利用機器を撮影した映像を通知する監視映像通知システムであって、通知先情報（１９１）を記憶するＩＣカード（１００）と、ＩＣカードが記憶する通知先情報（１９１）を読み取って、前記通知先情報に撮影映像を通知するようにネットワークカメラに指示する利用機器（３００）と、利用機器を撮影して、撮影映像を前記通知先情報に送信するネットワークカメラ（５００）と、からなることを特徴とする監視映像通知システムである。
【０００７】
このように、利用機器がＩＣカードを検知すると、利用機器の使用状況を監視するネットワークカメラは撮影を開始することができる。そして、ＩＣカードが記憶する通知先に、この監視映像を送信することが可能となる。
【０００８】
請求項２の発明は、前記利用機器（３００）が利用機器特定情報（３９１）を記憶して、前記利用機器（３００）は、前記利用機器特定情報と通知先情報とをネットワークカメラ（５００）に送信して、前記ネットワークカメラが利用機器特定情報と撮影条件とを対応付ける対応データ（５９１）が記憶して、前記ネットワークカメラ（５００）は、利用機器から受信した利用機器特定情報（３９１）を用いて、前記対応データ（５９１）から利用機器の撮影条件を選択して、受信した通知先（１９１）に撮影映像を送信する、ことを特徴とする請求項１に記載の監視映像通知システムである。
【０００９】
請求項３の発明は、前記ＩＣカードが認証情報（１９３）を記憶して、前記利用機器（３００）は、ＩＣカードが記憶する認証情報（１９３）を読み取って、本人認証をして、認証結果を、ネットワークカメラ（５００）を経由して、前記受信した通知先（１９１）に通知する、ことを特徴とする請求項１、または、請求項２に記載の監視映像通知システムである。
【００１０】
請求項４の発明は、前記利用機器（３００）が開閉門装置や保管庫であって、前記利用機器（３００）は、ＩＣカードが記憶する認証情報（１９３）を読み取って、本人認証が成功したら、開錠する、ことを特徴とする請求項３に記載の監視映像通知システムである。
【発明の効果】
【００１１】
本願発明によれば、
（１）利用者が開閉門装置のような利用機器の扉を通過するとき、あるいは保管庫のような利用機器を利用するときに、利用者が利用機器に備え付けられたＩＣカード・リーダーにＩＣカードをかざしたタイミングで監視映像を撮影開始することが可能である。
（２）撮影された監視映像は、ＩＣカードが記憶する通知先に電子メールで送信することが可能である。
（３）監視映像は電子メールに添付して送信するので、映像を記録する設備が不要であり、設備コストを低減することができる。
【発明を実施するための最良の形態】
【００１２】
以下、図面等を参照しながら、本発明の実施の形態について、更に詳しく説明する。
図１は、本発明による監視映像通知システム１は、ＩＣカード１００と利用機器３００（たとえば、開閉門３００ａ／３００ｂ、保管庫３００ｃ）とネットワークカメラ５００ａ／５００ｂ／５００ｃと電子メール・サーバ装置８００から構成される。利用機器３００とネットワークカメラ５００ａ／５００ｂ／５００ｃと電子メール・サーバ装置８００は、ネットワーク９００に接続される。
【００１３】
ＩＣカード１００は、本人認証情報と通知先情報（＝電子メール宛先）を記憶するカード形状の電子記憶媒体である。
【００１４】
利用機器３００は、ＩＣカード・リーダーを備えた扉であり、ＩＣカード１００がかざされたときに、ＩＣカード１００に記憶されている通知先情報を読み取って、通知先情報と利用機器３００を特定する情報を合わせてネットワークにつながっているネットワークカメラ５００ａ／５００ｂ／５００ｃに送信する。更に、開閉門３００ａ／３００ｂ、保管庫３００ｃは、ＩＣカード１００に記憶される本人認証情報を読み取って、本人認証を行い開閉門３００ａ／３００ｂであれば入退出の扉を開き、保管庫３００ｃであれば保管庫の扉を開く。
【００１５】
なお、利用機器３００は、本人認証結果をネットワークカメラ５００に送信してもよい。
【００１６】
ネットワークカメラ５００は、利用機器３００から通知先情報と通知先情報と利用機器３００を特定する情報を受信して、この利用機器３００を撮影する。ネットワークカメラ５００は、受信した通知先情報宛の電子メールを作成して、撮影した画像を添付して、電子メール・サーバ装置８００に送信する。
【００１７】
なお、ネットワークカメラ５００は、受信した本人認証結果を電子メールに添付してもよい。
【００１８】
電子メール・サーバ装置８００は、受信した電子メールを保存する。電子メール・サーバ装置８００は、コンピュータプログラムによって制御されるコンピュータである。
【００１９】
図２は、ＩＣカード１００の詳細な構成図である。ＩＣカード１００は、ＣＰＵ１０１と端子１０２とアンテナ１０３とメモリ１０９を備える。
【００２０】
ＩＣカード１００は、メモリ１０に記憶される情報を、端子１０２、もしくは、アンテナ１０３から外部装置（たとえば、利用機器３００）に送信する。
【００２１】
メモリ１０９は、半導体記憶装置や磁気記憶装置である。メモリ１０９は、通知先情報１９１と認証情報１９３を記憶する。
【００２２】
図３は、本発明による利用機器３００の詳細な構成図である。
利用機器３００は、ＣＰＵ３０１とＩＣカード・リーダー３０２と開閉扉３０３とＬＡＮ３０５とメモリ３０９と本人認証手段３１０と管理情報送信手段３２０と開閉手段３３０を備える。
【００２３】
ＩＣカード・リーダー３０２は、接触端子、もしくは、アンテナを有する。ＩＣカード・リーダー３０２は、ＩＣカード１００の端子１０２あるいはアンテナ１０３と通信する。
開閉扉３０３は、電子錠により、開錠・施錠される。ＬＡＮ３０５は、ネットワーク通信を行う。メモリ１９０は、利用機器特定情報３９１を記憶する。利用機器特定情報３９１は機器の特定するユニークな情報である。
【００２４】
本人認証手段３１０は、ＩＣカード・リーダー３０２にかざされたＩＣカード１００から認証情報１９３を受信して、本人認証を行う。更に、本人認証手段３１０は、本人認証の結果をネットワークカメラ５００に送信する。
通知先情報転送手段３２０は、ＩＣカード１００から通知先情報１９１を受信して、通知先情報１９１に、メモリ３０９に記録されている利用機器特定情報３９１を添えてネットワークに接続されている全てのネットワークカメラ５００に転送する。
開閉手段３３０は、認証結果が本人認証成功であれば開錠する。
【００２５】
本人認証手段３１０と通知先情報転送手段３２０と開閉手段３３０は、コンピュータプログラムである。
利用機器特定情報３９１は、コンピュータプログラムが可読なデータである。
【００２６】
図４は、本発明によるネットワークカメラ５００の詳細な構成図である。ネットワークカメラ５００は、ＣＰＵ５０１とＣＣＤ５０２とＬＡＮ５０３とメモリ５０９と通知先情報受信手段５１０と撮影指示手段５２０と映像送信手段５３０を備える。
【００２７】
ＬＡＮ５０３は、有線式または無線式のネットワーク接続装置である。
メモリ５０９は、対応データ５９１を記憶する。
【００２８】
メモリ５０９に記録されている対応データ５９１は、利用機器特定情報３９１と撮影条件データを対応付けたデータである。
【００２９】
通知先情報受信手段５１０は利用機器から送信されてくる利用機器特定情報３９１と通知先情報１９１を受信する。
【００３０】
撮影指示手段５２０は、利用機器特定情報３９１と通知先情報１９１を受信したネットワークカメラ５００自身の識別情報と受信した利用機器特定情報３９１から、対応データ５９１を参照して、利用されている機器の撮影条件データを選択し、ＣＣＤ５０２に、選択された撮影条件データに従って利用機器の撮影をするように指示する。
【００３１】
映像送信手段５３０は、受信した通知先情報１９１を宛先とする電子メールを作成して、ＣＣＤが撮影した映像と認証結果情報１９３を添付して、電子メール・サーバ装置８００に送信する。常時撮影を行っているネットワークカメラにおいては、ＩＣカード１００を利用機器にかざしたタイミングの映像を添付してもよい。
【００３２】
通知先情報受信手段５１０と撮影指示手段５２０と映像送信手段５３０は、コンピュータプログラムである。対応データ５９１は、コンピュータプログラムが可読なデータである。
【００３３】
図５は、対応データ５９１の構造と例である。対応データ５９１の項目は、カメラ特定情報５９１ａと利用機器特定情報５９１ｂと撮影条件データ５９１ｃから構成される。カメラ特定情報５９１ａは、ネットワークカメラ５００を特定する情報である。利用機器特定情報５９１ｂは、利用機器３００を特定する情報である。撮影条件データ５９１ｃは、利用機器３００を撮影するときのＣＣＤ５０２の撮影角度（水平方位角である水平角度と伏角である垂直角度）である。カメラ特定情報５９１ａと利用機器特定情報５９１ｂと撮影条件データ５９１ｃがそれぞれ対応付けられる。
【００３４】
図５には、対応データ５９１が例示されている。たとえば、対応データ５９１として、カメラ特定情報５９１ａ＝「カメラＣ０１１」、利用機器特定情報５９１ｂ＝「ゲートＧ０１０」、撮影条件データ５９１ｃ＝「（１２０，２９）」が例示されている。この対応データ５９１は、ネットワークカメラ５００「カメラＣ０１１」が、利用機器３００ａ「ゲートＧ０１０」を撮影するときには、ＣＣＤ５０２の撮影角度が「（１２０，２９）」であることを示している。
【００３５】
また、対応データ５９１として、カメラ特定情報５９１ａ＝「カメラＣ０３４」、利用機器特定情報５９１ｂ＝「ゲートＧ０１０」、撮影条件データ５９１ｃ＝「（９８、３３）」が例示されている。この対応データ５９１は、ネットワークカメラ５００「カメラＣ０３４」が、利用機器３００ａ「ゲートＧ０１０」を撮影するときには、ＣＣＤ５０２の撮影角度が「（９８、３３）」であることを示している。
【００３６】
ここで、対応データ５９１を利用して撮影を行う仕組みを詳しく説明する。たとえば、利用機器３００ａが利用された場合は、利用機器３００ａがＩＣカードに記録されている通知先情報１９１と利用機器特定情報３９１を合わせてネットワークカメラ５００ａ／５００ｂ／５００ｃに送信する。ネットワークカメラ５００ａ／５００ｂ／５００ｃは、対応データ５９１を参照して、利用機器特定情報３９１と自らのカメラ特定情報に合致する対応データ５９１が存在する場合には、その対応データ５９１の撮影条件で撮影を開始し、合致する対応データ５９１が存在しない場合には、撮影を行わない。対応データ５９１を利用するメリットは、対応データのメンテナンスが楽になる点がある。つまり、各ネットワークカメラ５００ａ／５００ｂ／５００ｃに記憶させる対応データ５９１は、同一データであるので、対応データ５９１を変更したときには、これを各ネットワークカメラに配信して更新すればよいからである。
【００３７】
図６は、本発明による監視映像通知の処理手順の説明図である。
（１）利用機器３００の通知先情報転送手段３２０は、ＩＣカード１００から本人認証情報と電子メール宛先を受信する（ステップＳ１ａ）。
（２）利用機器３００の通知先情報転送手段３２０は、ネットワークカメラ５００に電子メール宛先を含む撮影画像送信指示を送信する（ステップＳ１ｂ）。
（３）ネットワークカメラ５００の通知先情報受信手段５１０は撮影画像送信指示を受け付けて、撮影指示手段５２０は、利用機器３００を撮影する（ステップＳ１ｃ）。
（４）ネットワークカメラ５００の映像送信手段５３０は、撮影画像送信指示に含まれる電子メール宛先を設定した電子メールを作成して、撮影した画像を添付して、電子メール・サーバ装置８００に送信する（ステップＳ１ｄ）。
（５）電子メール・サーバ装置８００は、ネットワークカメラ５００から、電子メールを受信して保存する（ステップＳ１ｅ）。
（６）利用機器３００の本人認証手段３１０は、ＩＣカード１００の本人認証情報を読み取って、本人認証する（ステップＳ２ａ）。
（７）利用機器３００の開閉手段３３０は、本人認証が成功したら扉を開錠する（ステップＳ２ｂ）。
【００３８】
次に、変形例について説明する。
上記実施例では、ネットワークカメラ５００の対応データ５９１に全てのネットワークカメラ５００について対応する利用機器５００、撮影条件データを記憶している場合を説明してきたが、自らのカメラ特定情報５９１ａに対応付けられた利用機器特定情報５９１ｂと撮影条件データ５９１ｃのみだけを記憶してもよい。利用機器３００には、自らを撮影するネットワークカメラ５００のカメラ特定情報５９１ａを記憶させておき、利用された機器が自ら撮影するネットワークカメラ５００にのみ撮影指示をおこなってもよい。
【００３９】
こうすることによって、全てのネットワークカメラ５００に撮影指示を行う必要がなく、ネットワークの負荷を軽減できる。
【００４０】
さらに、新たに利用機器３００を設置する場合には、新規に設置した利用機器３００を撮影するネットワークカメラ５００のカメラ特定情報５９１ａを利用機器３００に記憶させて、新規に設置した利用機器３００の撮影を行うネットワークカメラ５００の利用機器特定情５９１ｂと撮影条件データ５９１ｃを変更すればよい。そのため、設定変更による撮影テストを行う場合、新規に設置した利用機器３００とそれを撮影するネットワークカメラ５００に限定できるというメリットもある。
【００４１】
利用機器３００の本人認証手段３１０は、本人認証結果をネットワークカメラ５００に送信してもよい。そして、ネットワークカメラ５００の映像送信手段５３０は、利用機器３００から本人認証結果を受信して、これを電子メールに添付して電子メール・サーバ装置８００に送信してもよい。指紋認証、パスワード認証など機能が付いたＩＣカード１００を用いた場合に、本人認証が失敗しているときは、不審人物の候補の印として利用できる。
【図面の簡単な説明】
【００４２】
【図１】本発明による監視映像通知システム
【図２】ＩＣカードの詳細な構成図
【図３】本発明による利用機器の詳細な構成図
【図４】本発明によるネットワークカメラの詳細な構成図
【図５】対応データの構造と例
【図６】本発明による監視映像通知の処理手順
【符号の説明】
【００４３】
１００  ＩＣカード
１９１  通知先情報
１９３  認証情報
３００  利用機器
３００ａ／ｂ  開閉門
３００ｃ  保管庫
３１０  本人認証手段
３２０  通知先情報転送手段
３３０  開閉手段
３９１  利用機器特定情報
５００  ネットワークカメラ
５００ａ／ｂ／ｃ  ネットワークカメラ
５１０  通知先情報受信手段
５２０  撮影指示手段
５３０  映像送信手段
５９１  対応データ
８００  電子メール・サーバ装置
９００  ネットワーク
【図１】
2008160608.tif 000003
【図２】
2008160608.tif 000004
【図３】
2008160608.tif 000005
【図４】
2008160608.tif 000006
【図５】
2008160608.tif 000007
【図６】
2008160608.tif 000008